(57)【要約】      （修正有）【課題】スポンジで食器を洗浄する時や、また、病気や怪我で握る力が弱くなり食器洗浄が困難な場合でも、スポンジが手から離れない洗浄用具を提供する。【解決手段】スポンジの中央位置に切り込みを縦に２本入れて貫通させ、平ゴムを通し輪にして取付ける。または、スポンジの左右両側面の中央位置に平ゴムの輪を取付ける。そして、その輪に指を嵌めて、スポンジを使用する。【選択図】図２
0003133597.tif 000002
【実用新案登録請求の範囲】
【請求項１】
スポンジに切り込みを縦に２本入れて貫通させ、その切り込み部に平ゴムを通し輪にして取付けることを特徴とする平ゴム付洗浄用具。
【請求項２】
スポンジの左右両側面の中央位置に、輪にした平ゴムを縫い付けることを特徴とする平ゴム付洗浄用具。
【請求項３】
前記した平ゴムを取付けるスポンジに、ネット布を被せることを特徴とする請求項１または請求項２に記載の平ゴム付洗浄用具。
【考案の詳細な説明】
【技術分野】
【０００１】本考案は、食器、浴槽、自動車、人体等様々なものを洗浄する時に使用するスポンジに、特定の指を嵌めるための平ゴムの輪を取付けた洗浄用具に関するものである。
【背景技術】
【０００２】従来、洗浄時には、片方の手でスポンジをある程度の力で握り持ち続けながら、同時に食器を擦り洗う力が必要である。洗浄時にスポンジを落とさない、また、握る力が弱くても洗うことができる発明および考案は次のとおりにある。特許文献１のネット布でできている筒状部に指を挿入する擦り拭い具、実用新案文献２のスポンジの側面にゴムひもを取付けた、落とさないスポンジがある。
【特許文献１】特開２００５−３０４６５４号公報
【実用新案文献２】
登録実用新案第３０２１９６１号公報
【考案の開示】
【考案が解決しようとする課題】
【０００３】スポンジを手で握り持ち食器を洗浄するが、力が少々弱くなったり、洗剤で滑りやすくなり、落とすことがある。また、病気や怪我で握る力が弱くなり、食器洗浄が困難な場合がある。【０００４】特許文献１については、指を入れる筒状部が伸縮性を保有したネット布でできている。筒状部の穴の大きさを万人の指の太さに合わせることは困難と思われ、洗剤を使用することにより滑りやすくなり、指から外れることになる。実用新案文献２については、スポンジの側面にゴムひもを通している。スポンジ全体にゴムひもを通していることで、指が固定されにくく、洗浄時、擦る力でスポンジが凹んで隙間ができ、手を動かす時には、何れかの指に力が必要になると思われる。
【課題を解決するための手段】
【０００５】以上を解決するには、スポンジの中央位置に切り込みを縦に２本入れて貫通させ、その切り込み部に平ゴムを通し輪にして取付ける。または、スポンジの左右両側面の中央位置に、輪にした平ゴムを縫い付ける。そして、その輪に特定の指を嵌め、スポンジを使用することにより解決する。【０００６】この考案は、収縮が強く、ある程度の長さの許容範囲が有るため、指の太さを気にする必要が無い平ゴムを使用していることと、特定の指に平ゴムを嵌めることを特徴としている。平ゴムを、特定の指の付け根に付けることで、スポンジとの一体感が増す。また、平ゴムの幅が細く、指の付け根まで簡単に嵌めることができ、洗剤を使用しても滑りにくいことを特徴としている。
【考案の効果】
【０００７】本考案は、スポンジを握る力が弱くても、手から滑り落ちない。また、握る力がほとんど必要なく、洗浄時は特定の指を平ゴムの輪に嵌め、指をスポンジに添えるだけで良い。握る力が軽減されることにより、食器の洗浄時間がスピードアップされ、洗浄作業時間が短縮される。また、洗剤を使用しても滑ることが無く、外れにくい。平ゴムは収縮が強く、ある程度の長さの許容範囲が有り、特定の指に嵌めることにより次のような効果がある。指の太さを気にすることなく、スポンジとの一体感が実現する。指の太さが違う人とスポンジを共用することができる。水等で食器をすすぐ時、スポンジを手早く簡単に手から外すことが可能である。ゴム手袋の上からでも使用が可能である。片手で、簡単に装着ができる。
【考案の実施するための最良の形態】
【０００８】本考案は、図１のスポンジ（１）の中央位置に、幅０．５ｃｍ程の平ゴムを通せる切り込みを２本入れ貫通させる。その切り込み部（２）に平ゴムを通して、直径３ｃｍ程の輪にし取付ける。２本の切り込みの間隔は２ｃｍほどでよい。取付けた平ゴムの輪（３）に嵌める特定の指は、人差し指、中指、薬指の３本、またはそのうちの１本の指、または２本いずれかでも良い。指の付け根のところまで平ゴムを嵌めて、あとは指をスポンジに軽く添えるだけで良い。図２および図３は人差し指と中指の２本を平ゴムの輪（３）に嵌めた図である。
【０００９】図４のスポンジ（４）のように左右側面の中央位置に、直径１．５ｃｍ程の平ゴムの輪（５）（６）を左右に縫い付け、どちらかの平ゴムの輪に親指のみを嵌めて使用するものである。その時、もう一方の平ゴムの輪には、いずれの指も嵌めない。図５および図６は、平ゴムの輪（６）に右手の親指を嵌め、平ゴムの輪（５）は空いたままである。図７のようにスポンジ（７）の左右両端の位置に切り込みを入れ貫通させ、その切り込み部（８）の両方に平ゴムを通して輪（１０）（１１）にし、取付ける方法もある。
【００１０】平ゴムの幅は０．５ｃｍ程であり、全ての指は、動きの制限は受けない。スポンジ全体をナイロンネット布でカバーしたスポンジを使用することで、平ゴムを取付けやすくなり、また、洗浄時でのスポンジの破損は防げる。材質については、平ゴムは、織ゴムでも同じ効果を得ることができる。スポンジについては、アクリル、ポリウレタン、不織布等、従来において洗浄用具として使用されているものでよい。
【実施例】
【００１１】図１のスポンジは、切り込み部（２）に平ゴムを通して輪にしていることにより、使用したい面の反対面で平ゴムをひっぱり、指に嵌める。そして、図４および図７のスポンジは、左右両側面の中央位置にある平ゴムの輪のいずれか片方に親指を嵌める。これらのことより、図１、図４図７のスポンジ共、両面の使用が可能になり、裏表面に材質の違うスポンジを設けることができる。また、平ゴムの輪をスポンジの中央の位置に取付けることで、使用面の上下どちらでも洗浄が可能になる。【００１２】図１のスポンジの使用時、指を嵌める面の反対面に２ｃｍ×０．５ｃｍ程の平ゴムが出ていても、洗浄時には邪魔にならず、且つ洗浄能力には支障は無い。（図２）【００１３】取付けた平ゴムの輪（３）（５）（６）（９）（１０）は、使用後にスポンジを乾かすための吊り下げる輪として利用できる。
【図面の簡単な説明】
【００１４】
【図１】平ゴムを取付けたスポンジの斜視図である。
【図２】図１のスポンジを、手に装着している斜視図である。
【図３】図１のスポンジを、手に装着している斜視図である。
【図４】平ゴムを取付けたスポンジの斜視図である。
【図５】図４のスポンジを、手に装着している斜視図である。
【図６】図４のスポンジを、手に装着している斜視図である。
【図７】平ゴムを取付けたスポンジの斜視図である。
【符号の説明】
【００１５】１スポンジ
２切り込み部
３平ゴムの輪
４スポンジ
５平ゴムの輪
６平ゴムの輪
７スポンジ
８切り込み部
９平ゴムの輪
１０平ゴムの輪
【図１】
0003133597.tif 000003
【図２】
0003133597.tif 000004
【図３】
0003133597.tif 000005
【図４】
0003133597.tif 000006
【図５】
0003133597.tif 000007
【図６】
0003133597.tif 000008
【図７】
0003133597.tif 000009